(57)【要約】【課題】対象の機器やプラグの形状、大きさにフレキシブルに対応できる取り扱いに優れたプラグ固定装置を提供すること。【解決手段】プラグ固定装置Ａは、インレット１５に重ねて固定するインレットプレート１と、上記インレット１５に差し込んだプラグ１７の背面に係合させる係合部材２とから構成され、上記インレットプレート１は、中央に上記インレット１５の前面を露出させる開口部３が形成されるとともに、両端部には挿通穴４を形成し、上記係合部材２は、ケーブルを通す開口部９が形成された係合板６と、該係合板６の両端部にそれぞれ取り付けた帯状の面ファスナー７とで構成し、上記面ファスナー７を上記インレットプレート１の挿通穴４を挿通させて折り返し、折り返した面ファスナー７を始端側の面ファスナー７に重合させた。【選択図】図１
0003125123.tif 000002
【実用新案登録請求の範囲】
【請求項１】
電気機器のインレットに差し込んだプラグが抜けないように固定する、以下の要件を備えることを特徴とするプラグ固定装置。
（イ）上記プラグ固定装置は、上記インレットに重ねて固定するインレットプレートと、上記インレットに差し込んだプラグの背面に係合させる係合部材とから構成されていること
（ロ）上記インレットプレートは、中央には上記インレットの前面を露出させる開口部が形成されるとともに、両端部には挿通穴が形成されていること
（ハ）上記係合部材は、ケーブルを通す開口部が形成された係合板と、該係合板の両端部にそれぞれ取り付けた帯状の面ファスナーとで構成されていること
（ニ）上記面ファスナーの終端側を上記インレットプレートの挿通穴を挿通させて折り返し、折り返した面ファスナーを始端側の面ファスナーに重合させ、面ファスナーの始端側と終端側とを結合させたこと
【考案の詳細な説明】
【技術分野】
【０００１】
本考案は、プラグ固定装置、詳しくは機器のインレットに差し込んだプラグが抜けないように固定するプラグ固定装置に関するものである。
【背景技術】
【０００２】
従来、機器のインレットに差し込んだプラグが抜けないようにする抜け防止装置が提案されている（例えば、特許文献１参照）。この抜け防止装置は締め付け具のネジ部を機器のネジ穴に捩じ込んで固定し、この締め付け具に取り付けられた針金状のロック部材をプラグに引っ掛けてプラグを機器に固定するようになっているものである。
【特許文献１】特開平６−５３３１号公報（第２、３頁、図１）
【考案の開示】
【考案が解決しようとする課題】
【０００３】
本考案が解決しようとする問題点は、インレットにプラグを差し込まない状態で、搬送したりする際ロック部材に外力が及ぶと変形し使用できない状態が発生する恐れがあるし、プラグの形状によっては使用できないことも考えられ、使い勝手と汎用性にかける問題があった。
【０００４】
本考案は、上記問題点を解決し、簡単にプラグを機器に固定することができるとともに、対象の機器の形状や大きさに対してフレキシブルに対応できる取り扱いに優れたプラグ固定装置を提供することを課題とする。
【課題を解決するための手段】
【０００５】
前記課題を解決するために本考案に係るプラグ固定装置は、電気機器のインレットに差し込んだプラグが抜けないように固定する、以下の要件を備えることを特徴とする。
（イ）上記プラグ固定装置は、上記インレットに重ねて固定するインレットプレートと、上記インレットに差し込んだプラグの背面に係合させる係合部材とから構成されていること
（ロ）上記インレットプレートは、中央には上記インレットの前面を露出させる開口部が形成されるとともに、両端部には挿通穴が形成されていること
（ハ）上記係合部材は、ケーブルを通す開口部が形成された係合板と、該係合板の両端部にそれぞれ取り付けた帯状の面ファスナーとで構成されていること
（ニ）上記面ファスナーの終端側を上記インレットプレートの挿通穴を挿通させて折り返し、折り返した面ファスナーを始端側の面ファスナーに重合させ、面ファスナーの始端側と終端側とを結合させたこと
【考案の効果】
【０００６】
本考案によれば、プラグの背面に係合板を当接し、係合板とインレットに固定したインレットプレートとを面ファスナーで連結することにより簡単にプラグをインレットに固定することができる。しかも、プラグの背面にケーブルが連結されているタイプの電源ケーブルにも、プラグの側面にケーブルが連結されているタイプの電源ケーブルにも対応することができ、プラグの形状を問わないプラグ固定装置を実現することができる。
【考案を実施するための最良の形態】
【０００７】
図１は、本考案に係るプラグ固定装置Ａの一例を示し、このプラグ固定装置Ａは、電源ケーブルのプラグをパソコンなどの機器のインレットに差し込んだ際、プラグの引き抜き方向に外力が加わってもプラグがインレットから抜けることのないようにするためのもので、機器のインレット部分に固定するインレットプレート１と、プラグの背面に係合させてプラグを上記インレットプレート１に固定する係合部材２とで構成されている。
【０００８】
インレットプレート１はステンレスなどの金属製の板部材で構成され、中央にはインレットを露出させる開口部３が形成され、上下の端部１ａは斜め前方に折り曲げられるとともに、この端部１ａには後述する面ファスナー７を挿通させる挿通穴 (長穴)４が形成され、左右の端部にはインレットプレート１をネジで機器に取り付けるための取付穴５が形成されている。
【０００９】
係合部材２は、金属や樹脂で略方形状に形成されプラグの背面に係合させる係合板６と、この係合板６の両端部に取着された帯状の面ファスナー７とで構成され、係合板６の両側部６ａは斜め後方に曲折するとともに面ファスナー７の一端側を取り付ける長穴８が形成され、中央にはケーブルを通す円形の開口部９が形成されている。この開口部９にはケーブルを開口部９に案内するためのスリット１０が連設され、開口部９はスリット１０を介して外部に開口している。
【００１０】
面ファスナー７はフックとループとが1つの面に混在した面ファスナー（例えば、株式会社クラレ製の「フリーマジック」（登録商標））で構成されいればよく、面ファスナー７を折り返して重ね合わせればフックがループに引っ掛かって同一の面ファスナー７でありながら互いに係止し合うようになっているもので、図２に示すように、フックとループとが形成された面７ａ（以下、この面を表面という）を前面側にして面ファスナー７の一端を係合板６の表側から長穴８に挿通し、挿通した先端を折り返して裏面７ｂ同士を重ね合わせて溶着等で固定することにより、図１に示すような、係合板６に面ファスナー７が取り付けられた係合部材２を形成することができる。
【００１１】
次に、上記プラグ固定装置Ａの使用態様について説明する。
【００１２】
先ず、図３（ａ）に示すように、機器にインレット１５を固定するネジ１６を利用して、インレットプレート１をインレット１５に固定する。インレットプレート１の固定ができたらプラグ１７をインレット１５に差し込む（図３（ｂ）参照）。
【００１３】
次に、図３（ｃ）に示すように、係合板６のスリット１０からケーブル１８を開口部９に案内し、図３（ｄ）に示すように、面ファスナー７の先端をインレットプレート１の前面側から長穴４に通し、長穴４を通過させた部分を係合板６側に折り返し、折り返した面ファスナー７の表面７ａを係合板６側の面ファスナー７の表面７ａに重ね合わせれば（図３（ｅ）参照）、面ファスナー７の表面７ａにはフックとループとが混在しているので同一の面ファスナー７であっても表面７ａ同士を重ね合わせれば結合させることができ、係合板６をプラグ１７の背面に当接させた状態でインレットプレート１に係合板６を固定することができ、結果としてプラグ１７をインレット１５に固定することができる。固定後、面ファスナー７の余長は鋏などで切断すればよい。
【００１４】
なお、上述の電源ケーブルはプラグ１７の背面からケーブル１８が出ているものであるが、本考案のプラグ固定装置Ａはプラグ１７の側面からケーブル１８が出ている電源ケーブルにも対応することができる。この場合、図４（ａ）に示すように、プラグ１７をインレット１５に差し込んだ後、係合板６をプラグ１７の背面に当接し、面ファスナー７をインレットプレート１の長穴８に通して係合板６側に折り返し、折り返した面ファスナー７を係合板６側の面ファスナー７に重ね合わせればよい（図４（ｂ）参照）。この場合は、ケーブル１８を通す開口部９は使用する必要はない。
【００１５】
上述のように、インレット１５を固定するネジ１６を利用して、インレットプレート１を機器に固定しておけば、インレット１５にプラグ１７を差し込んだ後、係合板６をプラグ１７の背面に当接した状態で面ファスナー７をインレットプレート１の長穴８を通して折り返し、面ファスナー７同士を重ね合わせて結合すればプラグ１７を機器に固定することができる。しかも、ケーブル１８が側面から出ているプラグ１７にも対応することができ、適用範囲の広いプラグの固定装置Ａを実現することができる。
【図面の簡単な説明】
【００１６】
【図１】本考案に係るプラグ固定装置の構成を説明する斜視図
【図２】係合部材の構成を説明する分解斜視図
【図３】（ａ）〜（ｅ）は上記プラグ固定装置の使用態様の説明図
【図４】（ａ）（ｂ）は上記プラグ固定装置の他の使用態様の説明図
【符号の説明】
【００１７】
１    インレットプレート
２    係合部材
３    開口部
４    挿通穴
６    係合板
７    面ファスナー
９    開口部
１０    スリット
１５    インレット
１７    プラグ
１８    ケーブル
Ａ    プラグ固定装置
【図１】
0003125123.tif 000003
【図２】
0003125123.tif 000004
【図３】
0003125123.tif 000005
【図４】
0003125123.tif 000006